(57)【要約】      （修正有）【課題】手の蒸れや内部表面素材などによるアレルギー症状の発生などといった不快感を解消したゴム手袋を提供する。【解決手段】ゴム手袋において、各指挿入部分内面の第１関節から指の根元に対応する部分に３〜４本の突起を設け、手の甲と平に対応する部分に４〜５本の突起を設けることで、装着時に手袋内部表面と指及び手の甲と平の皮膚が密着する面積を可能な限り少なくし、その手首に対応する開口部から手袋内部の空気と外気が自由に循環することとなり、長時間の着用を可能とする。【選択図】図1
2015124465.tif 000002
【特許請求の範囲】
【請求項１】
装着時に手袋内部表面と、各指及び手の甲と平の皮膚が密着する面積を可能な限り少なくするために手袋内部表面にそれぞれ独立した複数の突起を設けて構成される手袋。
【発明の詳細な説明】
【技術分野】
【０００１】  本発明は、食器洗浄時などに使用するゴム手袋や、手が汚れることを防止するために使用するビニール手袋を蒸れなどの不快感がなく長時間装着できる手袋に関する。
【背景技術】
【０００２】  従来から、日常生活において台所や浴室など水回りの仕事をする際に、直接手の皮膚の表面に水分や汚れが付着することを防ぐためにゴム手袋が使用されてきた。
素手に装着するだけで、冷たい水や洗剤による手の皮膚表面へのダメージを防ぎながら仕事ができるというのは画期的なことであり、特に家族のために家事に従事する主婦には強い味方であったといえる。
しかしながら、素手に密着させて使用しなければならない従来のゴム手袋には、長時間使用時における手の蒸れや、人によってはアレルギー症状などを引き起こすなど、副作用ともいえる特徴を内包していた。これは昨今調理時や配膳時に直接食品に手が接触することを防ぐために使用される使い捨てのビニール手袋についても同様の問題であるといえる。【０００３】  こうした諸問題に対して、手の蒸れを解消することに焦点を絞った複数の穴が空いた手袋などが提案されている。（特許文献１）
【先行技術文献】
【特許文献】
【０００４】
【特許文献１】  特開２００２−６９７２２号公報
【発明の概要】
【発明が解決しようとする課題】
【０００５】  しかしながら、前述特許文献１に示された複数の穴の空いた手袋では、水分や汚れなどに対する非接触状態を保持することができず、水仕事などに使用することができないといった問題があった。【０００６】  本発明は既述の問題点の解決を主眼として発案されたものであり、長時間の装着による蒸れなどの不快感を解消する手袋である
【課題を解決するための手段】
【０００７】  本発明は、既述の課題を解決するため、手袋装着時の各指第１関節から付け根に対応する部分の手袋内部表面に、それぞれ独立した複数の突起を設けることとした。さらに手の甲と平に対応する部分の手袋内部表面にも同様の突起を設けることで、手袋内部表面と指及び手の甲と平の皮膚が密着する面積を可能な限り少なくし、装着時にその手首に対応する開口部から手袋内部の空気と外気が自由に循環することで、蒸れなどの不快感を解消し長時間の着用を可能とした。【０００８】  勿論、本発明における手袋の長時間の着用による蒸れなどの不快感を解消する手段として設けた突起によって、従来の目的である水仕事や食品に触れるといった作業の円滑性を阻害することがないよう考慮し、各指先端から第１関節までに対応する部分には従来のゴム手袋と同様に、手袋内表面部と指の皮膚及び爪部が密着する構成とする。
【発明の効果】
【０００９】  本発明の手袋によれば、各指挿入部の指の第１関節から付け根に対応する部分及び手の甲と平に対応する部分の手袋内部表面に、それぞれ独立した複数の突起を設けることで、蒸れなどの不快感を解消した長時間の着用を可能とする手袋を提供することができる。
【図面の簡単な説明】
【０００１０】
【図１】手袋装着時に横から見た断面図
【図２】指挿入部分を挿入口側から見た断面図
【発明を実施するための形態】
【００１１】  以下、本発明の実施の形態の詳細を図１及び図２に基づいて説明する。
【００１２】  本発明における手袋内部表面と指及び手の皮膚が密着する面積を可能な限り少なくするために設ける突起について、手袋の各指を挿入する部分に設ける突起については、手袋装着時の指と並行して設置し、長さは１ｃｍ〜３ｃｍ程度、幅は３ｍｍ程度、高さは３ｍｍ〜５ｍｍ程度の形状が考えられる。（図１）
その設置場所については、各指挿入部内面に等間隔に設置する。（図２）
その設置数については、各指挿入部ごとにそれぞれ３〜４本が望ましい。
手の甲と平に対応する部分の手袋内面に設ける突起については、各指に平行して指の付け根付近から手首にかけて設置し、長さは５ｃｍ〜１０ｃｍ程度、幅は３ｍｍ程度、高さは３ｍｍ〜５ｍｍ程度の形状が考えられる。
その設置数については、手の甲側と手の平側ともに４〜５本が望ましい。
各指挿入部内面及び手の甲側と手の平側内面に設ける突起については、その目的である長時間の着用による手の蒸れ等の不快感を解消することが可能である限り、既述の形状や設置場所、設置数に拘らない。
【符号の説明】
【００１３】  １  指挿入部の手袋内面に設けた突起
２  手の甲側の手袋内面に設けた突起
３  手の平側の手袋内面に設けた突起
４  手袋本体
【図１】
2015124465.tif 000003
【図２】
2015124465.tif 000004
【手続補正書】
【提出日】平成26年4月11日(2014.4.11)
【手続補正１】
【補正対象書類名】明細書
【補正対象項目名】全文
【補正方法】変更
【補正の内容】
【発明の詳細な説明】
【技術分野】
【０００１】
本発明は、食器洗浄時などに使用するゴム手袋を蒸れや内部表面素材によるアレルギー症状などの不快感がなく長時間装着できる手袋に関する。
【背景技術】
【０００２】
従来から、日常生活において台所や浴室など水回りの仕事をする際に、直接手の皮膚の表面に水分や汚れが付着することを防ぐためにゴム手袋が使用されてきた。
【０００３】
素手に装着するだけで、冷たい水や洗剤による手の皮膚表面へのダメージを防ぎながら仕事ができるというのは画期的なことであり、特に家族のために家事に従事する主婦には強い味方であったといえる。
【０００４】
しかしながら、素手に密着させて使用しなければならない従来のゴム手袋には、長時間使用時における手の蒸れや、人によっては内部表面素材よるアレルギー症状を引き起こすなど、副作用ともいえる特徴を内包していた。
【０００５】
こうした諸問題に対して、手の蒸れを解消することに焦点を絞った複数の穴が空いた手袋（特許文献１）や、ゴム手袋の内側、指部5本と手の平部と甲側に、多数の丸い突起部を設けたことを特徴とする蒸れ防止ゴム手袋が提案されている。（特許文献２）
【先行技術文献】
【特許文献】
【０００６】
【特許文献１】特開2002−69722号公報
【特許文献２】特開2010−261124号公報
【発明の概要】
【発明が解決しようとする課題】
【０００７】
しかしながら、前述特許文献1に示された複数の穴の空いた手袋では、水分や汚れなどに対する非接触状態を保持することができず、水仕事などに使用することができないといった問題があった。
【０００８】
本発明は既述の問題点の解決を主眼として発案されたものであり、長時間の装着による蒸れなどの不快感を解消する手袋である
【課題を解決するための手段】
【０００９】
本発明は、既述の課題を解決するため、装着時の各指第1関節から付け根に対応する部分の内部表面に、挿入する指と平行に3〜4本の突起を設けることとした。
【００１０】
さらに手の甲と平に対応する部分の内部表面にも甲側と平側にそれぞれ4〜5本の突起を設けることで、ゴム手袋内部表面と指及び手の甲と平の皮膚が密着する面積を少なくした。
【００１１】
勿論、本発明におけるゴム手袋の長時間の着用による蒸れなどの不快感を解消する手段として設けた突起によって、従来の目的である水仕事や食品に触れるといった作業の円滑性を阻害することがないよう考慮し、各指先端から第1関節までに対応する部分には従来のゴム手袋と同様に、内部表面と指の皮膚及び爪部が密着する構成とする。
【発明の効果】
【００１２】
本発明のゴム手袋によれば、各指挿入部の指の第1関節から付け根に対応する部分及び手の甲と平に対応する部分の内部表面に、それぞれ数本の細長い突起を設けることで、素手との密着面が少なくでき、各指先端から第１関節までに対応する部分には突起を設けないことで作業の円滑性を阻害することなく使用が可能となるゴム手袋を提供することができる。
【図面の簡単な説明】
【００１３】
【図１】手袋装着時に横から見た断面図
【図２】指挿入部分を挿入口側から見た斜視断面図
【発明を実施するための形態】
【００１４】
以下、本発明の実施の形態の詳細を図1及び図２に基づいて説明する。
【００１５】
本発明におけるゴム手袋内部表面と指及び手の皮膚が密着する面積を少なくするために設ける突起について、各指を挿入する部分に設ける突起については、装着時の指と平行して各指第１関節から付け根に対応する部分に設置し、長さは1〜3センチメートル、幅は3ミリメートル、高さは3〜5ミリメートルの形状とし（図１）、その設置場所については各指挿入部内面に等間隔に設置し（図2）、その設置数については、各指挿入部に3〜4本が望ましい。
【００１６】
手の甲と平に対応する部分の内面に設ける突起については、各指に平行して指の付け根付近から手首付近にかけて設置し、長さは5〜10センチメートル、幅は3ミリメートル、高さは3〜5ミリメートルの形状とし、その設置数については、手の甲側と手の平側ともに4〜5本が望ましい。
【符号の説明】
【００１７】
1  指挿入部の手袋内面に設けた突起
2  手の甲側の手袋内面に設けた突起
3  手の平側の手袋内面に設けた突起
4  手袋本体
【手続補正２】
【補正対象書類名】特許請求の範囲
【補正対象項目名】全文
【補正方法】変更
【補正の内容】
【特許請求の範囲】
【請求項１】
内部表面に突起を設けたゴム手袋について、各指挿入部の第１関節から指の根元に対応する部分及び手の平と甲に対応する部分に、肌との密着面を少なくするための細長い突起を複数本設けて構成されるゴム手袋。
【手続補正４】
【補正対象書類名】図面
【補正対象項目名】全図
【補正方法】変更
【補正の内容】
【図１】
2015124465.tif 000005
【図２】
2015124465.tif 000006
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
内部表面に手の皮膚との密着面を減少させるための突起を設けたゴム手袋について、各指挿入部の第１関節から指の根元に対応する部分には、装着時の指と平行して長さ1センチメートル〜3センチメートル幅3ミリメートル高さ3ミリメートル〜5ミリメートルの突起を3〜4本、手の平と甲に対応する部分には、長さ5センチメートル〜10センチメートル幅3ミリメートル高さ3ミリメートル〜5ミリメートルの突起を4〜5本設置したゴム手袋。
【手続補正２】
【補正対象書類名】図面
【補正対象項目名】図２
【補正方法】変更
【補正の内容】
【図２】
2015124465.tif 000007